(57)【要約】      （修正有）【課題】容器内の粉末状または顆粒状製品の凝集塊の存在にもかかわらず、一定で予測可能な流量を有する流体内の粉末状または顆粒状製品の容器からの注出を促進するように構成された、嵌着品および容器を提供する。【解決手段】内部チャンバ２０と容器６の口部１４との間の通路１８を閉鎖するストッパ８と、粉末状製品４が注出動作中に通路を流通可能であるストッパにおける注出口と、ストッパに接続され、かつ、容器の内部チャンバ内へ延びる１つ以上のバッフル２６とを備え、バッフルは、凝集塊１２ａ、１２ｂおよび１２ｃが注出口を流通してしまう前に、粉末状製品の凝集塊を破砕するように構成される。注出口は、絞り部要素をさらに含み、絞り部要素は、注出口に関連し、バッフルによって破砕されることなく注出口に到達する凝集塊を破砕するように構成される。【選択図】図３Ｂ
2018065621.tif 000002
【特許請求の範囲】
【請求項１】
凝集挙動の傾向がある粉末状製品の容器用の嵌着品であって、前記容器は、口部と、内
部チャンバと、前記口部と前記内部チャンバとの間の通路とを備え、前記嵌着品は、
（ａ）前記通路を閉鎖するストッパと、
（ｂ）前記容器が注出動作中に傾斜する場合、前記内部チャンバ内の前記粉末状製品の
一部分が、前記通路を通って前記容器の前記口部の外へ続々と流出することを可能にする
前記ストッパを通って延びる注出口とを備え、前記通路を流れる前記一部分は、前記粉末
状製品の１つ以上の凝集塊を有し、
（ｃ）前記ストッパに接続されたバッフルを備え、前記バッフルは、前記容器の前記内
部チャンバに向かって延び、かつ、前記一部分が前記通路を流れる際に前記粉末状製品の
前記一部分に入り込むように設けられ、
（ｄ）これにより、前記バッフルとの接触の際に、前記通路に流入する前記粉末状製品
の一部分における前記１つ以上の凝集塊の少なくとも１つは、前記バッフルによって破砕
される、嵌着品。
【請求項２】
前記注出口を流通可能な前記粉末状製品の体積を制限するように構成された前記ストッ
パにおいて、絞り部をさらに備える、請求項１に記載の嵌着品。
【請求項３】
（ａ）前記絞り部は、前記注出口を流通可能な前記粉末状製品の体積と接触するように
設けられ、
（ｂ）これにより、前記注出口を流通可能な粉末状製品の体積中の１つ以上の粉末状製
品の凝集塊は、前記容器の前記口部の外へ流出する前に、前記絞り部との接触によって破
砕される、請求項２に記載の嵌着品。
【請求項４】
前記注出口は、前記ストッパの縦軸から外れて前記ストッパの部分を通って延びる非対
称の開口部を備える、請求項１に記載の嵌着品。
【請求項５】
前記注出口は、前記ストッパの縦軸と略一致する中心軸を有する円形開口部を備える、
請求項１に記載の嵌着品。
【請求項６】
前記注出口は、前記ストッパを通って延びる複数の開口部を備える、請求項１に記載の
嵌着品。
【請求項７】
（ａ）前記ストッパに接続された複数のバッフルを備え、前記複数のバッフルは、前記
容器の前記内部チャンバに向かって延び、かつ、前記一部分が前記通路を流れる際に前記
粉末状製品の前記一部分に入り込むように設けられ、
（ｂ）これにより、前記複数のバッフルのうちの１つ以上との接触の際に、前記通路に
流入する前記粉末状製品の一部分における１つ以上の前記粉末状製品の凝集塊は、前記複
数のバッフルのうちの１つ以上によって破砕される、請求項１に記載の嵌着品。
【請求項８】
前記注出口を流通可能な前記粉末状製品の体積を制限するように構成された前記ストッ
パにおいて、絞り部をさらに備える、請求項７に記載の嵌着品。
【請求項９】
（ａ）前記絞り部は、前記注出口を流通可能な前記粉末状製品の体積と接触するように
設けられ、
（ｂ）これにより、前記注出口を流通可能な粉末状製品の体積中の１つ以上の粉末状製
品の凝集塊は、前記容器の前記口部の外へ流出する前に、前記絞り部との接触によって破
砕される、請求項８に記載の嵌着品。
【請求項１０】
前記注出口は、前記ストッパの縦軸から外れて前記ストッパの部分を通って延びる非対
称の開口部を備える、請求項９に記載の嵌着品。
【請求項１１】
前記注出口は、前記ストッパの縦軸と略一致する中心軸を有する円形開口部を備える、
請求項９に記載の嵌着品。
【請求項１２】
凝集挙動の傾向がある粉末状製品用の容器であって、
（ａ）粉末状製品を保持するための内部チャンバと、
（ｂ）口部と、
（ｃ）前記内部チャンバと前記口部との間の通路と、
（ｄ）前記通路を閉鎖するストッパと、
（ｅ）前記容器が注出動作中に傾斜する場合、前記内部チャンバ内の前記粉末状製品の
一部分が、前記通路を通って前記容器の前記口部の外へ続々と流出することを可能にする
前記ストッパを通って延びる注出口とを備え、前記通路を流れる前記一部分は、前記粉末
状製品の１つ以上の凝集塊を有し、
（ｆ）前記通路内へ延び、かつ、前記一部分が前記通路を流れる際に前記粉末状製品の
前記一部分に入り込むように設けられるバッフルを備え、
（ｇ）これにより、前記バッフルとの接触の際に、前記１つ以上の
（ｈ）前記通路に流入する前記粉末状製品の一部分における凝集塊の少なくとも１つは
、前記バッフルによって破砕される、容器。
【請求項１３】
前記注出口を流通可能な前記粉末状製品の体積を制限するために絞り部をさらに備える
、請求項１２に記載の容器。
【請求項１４】
（ａ）前記絞り部は、前記注出口を流通可能な前記粉末状製品の体積と接触するように
設けられ、
（ｂ）これにより、前記注出口を流通可能な粉末状製品の体積中の１つ以上の粉末状製
品の凝集塊は、前記容器の前記口部の外へ流出する前に、前記絞り部との接触によって破
砕される、請求項１３に記載の容器。
【請求項１５】
前記注出口は、前記ストッパの縦軸から外れて前記ストッパの部分を通って延びる非対
称の開口部を備える、請求項１２に記載の容器。
【請求項１６】
前記注出口は、前記ストッパの縦軸と略一致する中心軸を有する円形開口部を備える、
請求項１２に記載の容器。
【請求項１７】
前記注出口は、前記ストッパを通って延びる複数の開口部を備える、請求項１２に記載
の容器。
【請求項１８】
（ａ）前記通路内へ延び、かつ、前記一部分が前記通路を流れる際に粉末状製品の前記
一部分に入り込むように設けられる複数のバッフルを備え、
（ｂ）これにより、前記複数のバッフルのうちの１つ以上との接触の際に、前記通路に
流入する粉末状製品の前記一部分における粉末状製品の１つ以上の前記凝集塊は、前記複
数のバッフルのうち１つ以上によって破砕される、請求項１２に記載の容器。
【請求項１９】
前記注出口を流通可能な粉末状製品の体積を制限するように構成された絞り部をさらに
備える、請求項１８に記載の容器。
【請求項２０】
（ａ）前記絞り部は、前記注出口を流通可能な前記粉末状製品の体積と接触するように
設けられ、
（ｂ）これにより、前記注出口を流通可能な前記粉末状製品の体積中の１つ以上の粉末
状製品の凝集塊は、前記容器の前記口部の外へ流出する前に、前記絞り部との接触によっ
て破砕される、請求項１９に記載の容器。
【発明の詳細な説明】
【技術分野】
【０００１】
本発明は、粉末状または顆粒状製品および物質、特に、凝集挙動の傾向がある粉末状ま
たは顆粒状製品および物質のための容器およびディスペンサに関する。具体的には、本発
明は、容器内の粉末状または顆粒状製品の凝集塊の存在にもかかわらず、一定で予測可能
な流量を有する流体内の粉末状または顆粒状製品の容器からの注出を促進するように構成
された、嵌着品および容器に向けられている。
【背景技術】
【０００２】
いくつかの医薬品を含むある粉末状材料および顆粒状材料は、粉末状製品が使用される
か、貯蔵されるか、あるいは輸送される間に水分と接触する結果として内部に形成する、
不規則に成形された無作為なサイズの凝集塊（または塊）の影響を受けやすい。水分は、
壁内の微細な隙間および容器の封止を介した緩やかな拡散によって容器に入ることがあり
、および／または、容器が当初から充填および封止されている場合に、容器に閉じ込めら
れることがある。粉末状または顆粒状製品のいくつかを容器の口部から測定カップまたは
スプーンなどの投与または測定装置へ注出するために、ユーザが容器をある角度で傾斜さ
せると、傾斜動作は、粉末状または顆粒状製品の流体が貯蔵または輸送容器の口部から投
与または測定装置内へ続々と流れ込む原因となる。製品の漏出および無駄および／または
投与または測定装置の過剰充填および過少充填を回避するために、傾斜した容器に存在す
る粉末状または顆粒状製品の明確な流量を判断し、かつ、容器の傾斜角を調節するかどう
か、およびその時期を推定するべく、既に投与または測定装置内にある粉末状または顆粒
状製品のレベルに従って流体のサイズ、角度および形状を見て観察するなどのことは、ユ
ーザが一般的に行う自然な注出作業であろう。粉末状または顆粒状製品が薬剤である場合
、投与または測定装置の過剰充填または過少充填は、薬剤の過剰投与または過少投与を引
き起こし、医療患者にとって深刻な影響を与える可能性がある。
【０００３】
容器の口部から流れる粉末状または顆粒状製品の流体は、不規則に成形された無作為な
サイズの凝集塊を含むが、凝集塊は、容器の口部から流出する際の流体のサイズ、角度お
よび形状に無作為かつ予測不可能な変化をもたらす傾向にある。また、粉末状または顆粒
状製品は容器の口部を絶え間なく通過するため、凝集塊は容器を出る直前に容器の口部の
内面と接触し、これは、いくつかの凝集塊が内面に引っ掛かり、流体が容器の口部から流
出する速度を一時的に妨げるかあるいは制限する原因となり得る。さらに、流体内のいく
つかの凝集塊は、凝集塊が容器から流出した途端に流体内の他の凝集塊と衝突するかも知
れない。衝突は、いくつかの凝集塊が容器から流出する際に破砕し、さらに流体のサイズ
、角度および形状を無作為かつ予測不可能な態様で変更する原因となり得る。
【発明の概要】
【発明が解決しようとする課題】
【０００４】
したがって、粉末状または顆粒状製品が容器から続々と注出される場合、流体内に不規
則に成形された無作為なサイズの凝集塊は、容器の口部から流出した途端の凝集塊の無作
為な引っ掛かり、解放、衝突および／または破砕と同時に発生し、流体のサイズ、角度お
よび形状の無作為で予測不可能な変化を引き起こし、このため、ユーザが流体に対する流
量を正確に判断することが非常に困難になり、かつ、容器に対する傾斜角を増大または低
減して、投与または測定装置の過少充填または過剰充填を回避すべき時期を推定すること
が非常に困難になるとされてきた。
【課題を解決するための手段】
【０００５】
概して、本発明の実施形態は、粉末状または顆粒状製品のためのボトル、缶、箱、カー
トンまたはディスペンサなどの容器の嵌着品または容器を提供し、この容器の嵌着品また
は容器は、凝集塊が注出口を通って容器の口部から流出してしまう前に、粉末状製品の不
規則に成形された無作為なサイズの凝集塊を破砕するように構成されており、これによっ
て、製品の容器の口部から流出する際の一貫して明確に定義された流体だけでなく、注出
中の流体における一貫して予測可能な流量を促進する傾向にある。一貫して明確に定義さ
れた流体および流体の一貫して予測可能な流量は、ユーザが注出動作中の容器の角度を変
更する時をより容易に判断することを可能にし、これにより、不要かつ無駄な流出を回避
する。
【０００６】
本発明の一態様によれば、凝集挙動の傾向がある粉末状製品の容器用の嵌着品が備えら
れ、嵌着品は、ストッパと、注出口と、注出口に関連した絞り部と、バッフルとを備える
。ストッパは、容器の口部と内部チャンバとの間の通路（つまり、ボトルのネックまたは
スロート）に介在するかあるいは収容されるように構成され、これにより、注出動作の実
行に先立って、粉末状製品の流出に対して、ストッパ内の注出口が開放されるかあるいは
開封されるまで通路を閉鎖する。ストッパ内の注出口は、ストッパ全体を通って延び、こ
れにより、注出口が開放され、かつ容器が注出動作を行うために傾斜する場合に、注出口
は、容器の内部チャンバ内の粉末状製品の一部分が注出口、したがって通路を流通し、そ
の後に容器の口部の外へ続々と流出することを可能にする。１つ以上のバッフルは、スト
ッパに接続され、バッフルは容器の内部チャンバに向かって延び、かつ、開放注出口によ
って通過可能とされた通路内へ移動する粉末状製品の一部分内に突出および入り込むよう
に設けられる。したがって、バッフルは、通路内へ移動するいくつかの粉末状製品の経路
に位置するように設けられ、通路内へ流れる粉末状製品の一部分におけるいくつかの粒子
が、バッフルの遠位端の上、およびその周囲を流れる原因となる。粉末状製品の任意の凝
集塊が、バッフルの遠位端の上、およびその周囲を流れる粉末状製品の一部分に存在する
場合、凝集塊が注出口に到達して容器の口部から流出してしまう前に、これら凝集塊は、
バッフルによって破砕される可能性がある。 
好ましくは、ストッパ、注出口またはストッパおよび注出口の両方は、注出口を流通可
能な粉末状製品の体積を制限するように構成された１つ以上の絞り部を備える。このよう
な絞り部は、例えば、注出口を流通する粉末状製品の体積の一部と接触し、かつ、これを
潜在的にろ過および妨害するために設けられる、ストッパまたは注出口内のフランジ、フ
ィラメント、エッジまたはフィンガを備えてもよく、これにより、注出口を流通可能な粉
末状製品の体積中の粉末状製品の１つ以上の凝集塊が、容器の口部から流出する前に、絞
り部との接触によって破砕される。したがって、絞り部は、これら凝集塊がバッフルを通
過して注出口内に流入した際にバッフルによって破砕されなかった、粉末状製品の凝集塊
を破砕する傾向にある。
【０００７】
注出口は、例えば、ストッパの縦軸から外れているストッパの区域を通って延びる非対
称の開口部、ストッパの縦軸と略一致する中心軸を有する円形開口部、ストッパを通って
延びる複数の平行な開口部、または、容器の内部チャンバを容器の口部に接続する通路で
の粉末状製品の流通を可能にすることに適した、任意の数のその他の開口部または欠落部
のうちいずれか１つを備えてもよい。
【０００８】
任意の数のバッフルは、バッフルが設けられる限り、バッフルが注出動作中に通路に向
かって進む粉末状製品の一部分と接触するようになる可能性を高めるために、注出口に対
して様々な異なるサイズおよび配向で使用される。したがって、複数のバッフルはストッ
パに接続されてもよく、複数のバッフルは、容器の内部チャンバに向かって延び、かつ、
粉末状製品の一部分に入り込むように設けられ、これにより、複数のバッフルのうちの１
つ以上との接触の際に、通路に流入する粉末状製品の一部分における粉末状製品の１つ以
上の凝集塊は、複数のバッフルのうちの１つ以上によって破砕される。複数のバッフルは
、互いに平行するように、または互いに平行しないように、あるいはストッパ上の単一の
位置に向かって集中して設けられるように構成されてもよい。複数のバッフルはまた、ス
トッパを通って延びる注出口を囲むように設けられてもよい。
【０００９】
本発明の他の実施態様では、凝集挙動の傾向がある粉末状製品用の容器が提供され、容
器は、内部チャンバと、口部と、内部チャンバと口部との間の通路と、注出口と、ストッ
パに取り付けられ、かつ通路内へ延びる１つ以上のバッフルとを備える。ストッパは、容
器の内部チャンバの間の通路に介在するように構成され、これにより、内部チャンバから
口部への粉末状製品の流れを妨げる。注出口は、ストッパを通って延び、容器が注出動作
のために傾斜する場合、内部チャンバ内の粉末状製品の一部分が、通路を通って容器の口
部から続々と流出することを可能にする。粉末状製品は凝集挙動の傾向があるため、容器
の傾斜の結果、通路に向かって移動し、かつ通路に流入する粉末状製品の一部分は、１つ
以上の凝集塊を有する可能性がある。したがって、バッフルは、ストッパに取り付けられ
るか、あるいは通路の内壁に取り付けられ、これにより、バッフルは、注出動作中に通路
を移動する粉末状製品の一部分内に突出して入り込む。
【００１０】
バッフルと接触すると、通路に流入する粉末状製品の一部分内の多数の凝集塊は、注出
口に到達し、かつ容器の口部を通過してしまう前に破砕される。好ましい実施形態では、
絞り部は、注出口、通路またはストッパに設けられ、注出口を流通し得る粉末状製品の体
積と接触して制限するように構成される。絞り部と接触すると、破砕されることなくバッ
フルを過ぎて流れることに成功した粉末状製品の少なくともいくつかの凝集塊は、絞り部
との接触の際に破砕される。したがって、本発明の容器は、注出動作中に凝集塊を破砕す
るための２つの別々の機構を提供するように構成され、かつ設けられてもよく、これによ
り、容器にある粉末状製品の流体について所望の一定の流量を促進する。粉末状製品内の
いくつかの小さな凝集塊は、バッフルまたは絞り部によって破砕されることなく注出口を
通過することに成功するかも知れないが、このような小さな凝集塊は、容器にある粉末状
製品の流体における一貫性のない流量を創出するために、大きさが不十分である傾向にあ
る。
【００１１】
本発明、およびその態様、特徴および利点を、例示的であるがゆえに非限定的な実施形
態を参照して、本明細書の一部を構成し、例示的な実施形態の描写を含む図面を用いて以
下に詳細に説明する。
【図面の簡単な説明】
【００１２】
【図１Ａ】従来の容器のうち、凝集挙動の傾向がある粉末状または顆粒状製品の注出に関連したいくつかの問題を一例として図示する。
【図１Ｂ】従来の容器のうち、凝集挙動の傾向がある粉末状または顆粒状製品の注出に関連したいくつかの問題を一例として図示する。
【図１Ｃ】従来の容器のうち、凝集挙動の傾向がある粉末状または顆粒状製品の注出に関連したいくつかの問題を一例として図示する。
【図１Ｄ】従来の容器のうち、凝集挙動の傾向がある粉末状または顆粒状製品の注出に関連したいくつかの問題を一例として図示する。
【図２Ａ】本発明の一態様に従う、粉末状または顆粒状製品用の容器のための例示的な嵌着品の一実施例および図を描写する。
【図２Ｂ】本発明の一態様に従う、粉末状または顆粒状製品用の容器のための例示的な嵌着品の一実施例および図を描写する。
【図２Ｃ】本発明の一態様に従う、粉末状または顆粒状製品用の容器のための例示的な嵌着品の一実施例および図を描写する。
【図２Ｄ】本発明の一態様に従う、粉末状または顆粒状製品用の容器のための例示的な嵌着品の一実施例および図を描写する。
【図２Ｅ】本発明の一態様に従う、粉末状または顆粒状製品用の容器のための例示的な嵌着品の一実施例および図を描写する。
【図２Ｆ】本発明の一態様に従う、粉末状または顆粒状製品用の容器のための例示的な嵌着品の一実施例および図を描写する。
【図３Ａ】本明細書で主張した発明の実施形態に関連するいくつかの利益および利点を一例として図示するために、図２Ａ、図２Ｂ、図２Ｃおよび図２Ｂに描写される容器と一体化される嵌着品を示す。
【図３Ｂ】本明細書で主張した発明の実施形態に関連するいくつかの利益および利点を一例として図示するために、図２Ａ、図２Ｂ、図２Ｃおよび図２Ｂに描写される容器と一体化される嵌着品を示す。
【図３Ｃ】本明細書で主張した発明の実施形態に関連するいくつかの利益および利点を一例として図示するために、図２Ａ、図２Ｂ、図２Ｃおよび図２Ｂに描写される容器と一体化される嵌着品を示す。
【図３Ｄ】本明細書で主張した発明の実施形態に関連するいくつかの利益および利点を一例として図示するために、図２Ａ、図２Ｂ、図２Ｃおよび図２Ｂに描写される容器と一体化される嵌着品を示す。
【図４Ａ】嵌着品が単一のバッフルを含む本発明の代替実施形態に従う嵌着品の一例の図を示す。
【図４Ｂ】嵌着品が単一のバッフルを含む本発明の代替実施形態に従う嵌着品の一例の図を示す。
【図４Ｃ】嵌着品が単一のバッフルを含む本発明の代替実施形態に従う嵌着品の一例の図を示す。
【図４Ｄ】嵌着品が単一のバッフルを含む本発明の代替実施形態に従う嵌着品の一例の図を示す。
【図５Ａ】嵌着品が、注出口に隣接する単一の位置に向かって集中するように配向される３つのバッフルを含む、本発明の代替実施形態に従う嵌着品の一例の図を示す。
【図５Ｂ】嵌着品が、注出口に隣接する単一の位置に向かって集中するように配向される３つのバッフルを含む、本発明の代替実施形態に従う嵌着品の一例の図を示す。
【図５Ｃ】嵌着品が、注出口に隣接する単一の位置に向かって集中するように配向される３つのバッフルを含む、本発明の代替実施形態に従う嵌着品の一例の図を示す。
【図５Ｄ】嵌着品が、注出口に隣接する単一の位置に向かって集中するように配向される３つのバッフルを含む、本発明の代替実施形態に従う嵌着品の一例の図を示す。
【図６Ａ】嵌着品が多数の異なるサイズおよび配向で構成される複数のバッフルを含む、本発明の別の実施形態に従う嵌着品の他の一例の図を示す。
【図６Ｂ】嵌着品が多数の異なるサイズおよび配向で構成される複数のバッフルを含む、本発明の別の実施形態に従う嵌着品の他の一例の図を示す。
【図６Ｃ】嵌着品が多数の異なるサイズおよび配向で構成される複数のバッフルを含む、本発明の別の実施形態に従う嵌着品の他の一例の図を示す。
【図６Ｄ】嵌着品が多数の異なるサイズおよび配向で構成される複数のバッフルを含む、本発明の別の実施形態に従う嵌着品の他の一例の図を示す。
【図６Ｅ】嵌着品が多数の異なるサイズおよび配向で構成される複数のバッフルを含む、本発明の別の実施形態に従う嵌着品の他の一例の図を示す。
【図６Ｆ】嵌着品が多数の異なるサイズおよび配向で構成される複数のバッフルを含む、本発明の別の実施形態に従う嵌着品の他の一例の図を示す。
【図６Ｇ】嵌着品が多数の異なるサイズおよび配向で構成される複数のバッフルを含む、本発明の別の実施形態に従う嵌着品の他の一例の図を示す。
【図６Ｈ】嵌着品が多数の異なるサイズおよび配向で構成される複数のバッフルを含む、本発明の別の実施形態に従う嵌着品の他の一例の図を示す。
【図７】本発明のさらにその他の実施例に従って構成された容器を示す。
【発明を実施するための形態】
【００１３】
図１Ａ、図１Ｂ、図１Ｃおよび図１Ｄは、一例として、製品４が容器６から計量スプー
ンまたは計量カップなどの投与または測定装置１０へ注出される際に一貫性がなく予測不
可能な流量を有する流体２２において、どのようにして粉末状製品４が容器６から流出す
る傾向にあるかを共に示す図を含んでいる。図１Ａに示すように、粉末状製品４が充填さ
れた容器６が持ち上げられて傾斜することで、粉末状製品４を容器６の口部１４から投与
または測定装置１０へ注出する場合、粉末状製品４は、一貫して予測可能な流量に関連す
る明確に定義された幾何学形状を有する流体２２において、最初に容器６から流出しても
よい。（図１Ｂに示すように）容器６のスロート３０に凝集塊１２ａ、１２ｂおよび１２
ｃが詰まらない限り、通常、ユーザは、投与または測定装置１０の充填に最適な流量で、
粉末状製品４を容器から投与または測定装置１０へ注出することができる。これは、ユー
ザが、実質的に粉末状製品４を漏出させたり無駄にすることなく投与または測定装置１０
を所定のレベルまで充填することを可能にする。
【００１４】
しかし、図１Ｂに示すように、予め形成された粉末状製品４の凝集塊１２ａ、１２ｂお
よび１２ｃが容器６のスロート３０に入ると、凝集塊１２ａ、１２ｂおよび１２ｃは、口
部１４からの粉末状製品４の流出を一時的に妨げるスロート３０または容器のリップ２８
に一時的にとどまり、これにより、流体２２の一定の流量を撹乱し、低減し、および／ま
たは妨げる可能性がある。容器６の口部１４に存在する流体２２の流量の撹乱および低減
は、流体２２が投与または測定装置１０に届かず及ばない原因となることがあり、多量の
製品４が測定装置１０の外側に落ちる原因となり得る。
【００１５】
注出作業を行う人は、投与または測定装置に及ばない製品４を視認し、かつ１つ以上の
凝集塊が口部１４を妨害していることが分からない場合、容器６の注出角度を増大させる
ことが適切かつ必要であると考えるか、あるいは、さらに悪いことに、流体２２の流量を
増加させ、かつ粉末状製品４を投与または測定装置１０へ注ぐために最適であると判断さ
れた流量を再取得しようとして、容器６を振り始める可能性がある。この容器６を振る、
あるいは容器６の傾斜角を増大させる行為は、凝集塊１２ａ、１２ｂおよび１２ｃがスロ
ート３０の内面に衝突する速度、および凝集塊１２ａ、１２ｂおよび１２ｃの後方にあり
、かつ凝集塊１２ａ、１２ｂおよび１２ｃを押し出す製品４の有効重量の両方を増大させ
、凝集塊１２ａ、１２ｂおよび１２ｃを粉砕するために要する時間を低減し、および／ま
たは凝集塊を口部１４に強制的に通し得る。凝集塊１２ａ、１２ｂおよび１２ｃがスロー
ト３０または容器６のリップ２８の内面に衝突する瞬間は、しかしながら、凝集塊１２ａ
、１２ｂおよび１２ｃを一体に保持する緩やかな結合が突然に崩れ得るが、これにより、
凝集塊１２ａ、１２ｂおよび１２ｃが口部１４を介してリップ２８を通過した途端に、凝
集塊１２ａ、１２ｂおよび１２ｃが突然に破砕され、凝集塊１２ａ、１２ｂおよび１２ｃ
内の粉末状製品４を突然かつ強制的に放出する原因となる。凝集塊１２ａ、１２ｂおよび
１２ｃを含む製品４の突然の放出は、容器６の口部１４から出る製品４の量の急増、およ
び、流体２２の角度、サイズおよび幾何学形状の急変を引き起こし、注出動作を行う個人
が予期しない可能性がある。この口部１４を介して容器６にある流体２２の流量、サイズ
および幾何学形状の突然かつ予期しない変化は、図１Ｃに示すように、容器６にある流体
２２が、投与および測定装置１０を飛び出す原因となり得る。
【００１６】
凝集塊１２ａ、１２ｂおよび１２ｃが、スロート３０または容器６のリップ２８の内面
に衝突することなく容器６の口部１４を通過したとしても、流体２２における凝集塊１２
ａ、１２ｂおよび１２ｃの存在は、図１Ｄに示すように、流体２２の断面および幾何学形
状に無作為かつ予測不可能な変化を依然として引き起こすことがあり、ユーザが流体２２
の流量を制御するための最良な傾斜角を判断し達成することをはるかに困難にし、かつ、
注出を停止する時を判断することを困難にする。したがって、図１Ｂ、図１Ｃおよび図１
Ｄに示す一貫性がなく予測不可能に変化する流体２２は、容器６のスロート３０を介して
移動する際の凝集塊１２ａ、１２ｂおよび１２ｃの存在および動作に起因するが、廃棄物
を増加させる可能性があるだけでなく、ユーザに注出作業の間の非常に否定的な経験をも
たらす。
【００１７】
図２Ａ〜図２Ｆは、本発明の例示的な一実施形態に従う粉末状または顆粒状製品用の容
器のための嵌着品２を示している。図２Ａおよび図２Ｄに最良に示すように、嵌着品２は
ストッパ８と、ストッパ８を貫通して延びる開口部または欠落部を備える注出口１６と、
ストッパ８の面に略垂直なストッパ８の下面から延びる複数のバッフル２６とを備える。
しかし、バッフル２６は必ずしもストッパ８の面に略垂直である必要はない。本発明の範
囲から逸脱することなく、様々な異なる角度、配向およびサイズをバッフル２６に使用し
てもよい。図２Ａ〜図２Ｅに示すように、嵌着品２はまた側壁９を備えてもよく、以下に
詳細に述べるように、側壁９は、同様にストッパ８の下面から延び、適切な容器の細長い
スロートの内側にある嵌着品２の固定に役立つように構成される。
【００１８】
図３Ａ〜図３Ｃに示すように、ストッパ８は、口部１４の上、あるいは容器６のスロー
ト３０の内側に確実に固定されるように構成され、これにより、容器６の口部１４からの
粉末状製品４の流出に対して、通路１８を実質的に閉鎖する。通路１８は、流路を備え、
これに沿って、粉末状製品４を内部チャンバ２０から容器６の口部１４へ移動させる。い
くつかの実施形態では、例えば、通路１８は、内部チャンバ２０を容器６の口部１４から
分離させる細長いスロート３０を容器６内に備える。しかし、内部ボトルのチャンバ２０
と口部１４との間に細長いスロートが１つもない場合、通路１８を、容器６の口部１４の
内側に直接隣接する内部チャンバ２０の一部分によって表してもよいと理解され、内部チ
ャンバ２０は、容器６の口部１４から流出するために進むべき通路の少なくとも一部を備
える。
【００１９】
図３Ａ〜図３Ｃは、本明細書で意図される構成の１つの実施例において、容器６と一体
化される嵌着品２を示している。図３Ａ〜図３Ｃに示すように、嵌着品２が容器６上の所
定の位置にある場合、複数のバッフル２６は、ストッパ８の下面から容器６の内部チャン
バ２０に向かって延びる。容器６は注出動作中に傾斜するので、粉末状製品４の一部分、
および粉末状製品４の一部分内の任意の凝集塊１２ａ〜１２ｃは、重力によって通路１８
、注出口１６およびストッパ８に向かって引張され、粉末状製品４の一部分のいくつかは
、流体２２において注出口１６を流通し始め、容器６の口部１４から流出する。バッフル
２６は、この注出動作中に通路１８および注出口１６に向かって移動する粉末状製品４の
一部分に入り込むように構成され、凝集塊１２ａ〜１２ｃが注出口１６に達するか、注出
口１６を塞ぐかまたは妨げるか、あるいは、流体２２の流量および幾何学形状を変えてし
まう前に、粉末状製品４の一部分内の少なくともいくつかの凝集塊１２ａ、１２ｂおよび
１２ｃを積極的に破砕するように構成される。
【００２０】
いくつかの実施形態では、注出口１６を備えるリムまたはエッジを囲む開口部は、絞り
部２４として作用し、絞り部２４は、注出口１６を流通可能な粉末状製品４の体積を制限
するように構成される。したがって、内部チャンバ２０内へ延びるバッフルと同様に、注
出口１６を囲む絞り部２４は、注出口を流通する粉末状製品の一部分の通路内へ延びるこ
とで、注出口１６を通る粉末状製品４の流れを部分的に妨げるように構成されてもよい。
図３Ｄに示すように、容器６内の粉末状製品４が、注出動作中に容器６の口部１４に存在
する流体２２の一定の流量を変更または撹乱するために十分な大きさの任意の凝集塊１２
ｄ、１２ｅおよび１２ｆを含み、かつ、これら大きな凝集塊１２ｄ、１２ｅおよび１２ｆ
が、バッフル２６によって粉砕されることなく注出口１６へ到達した場合、このような相
対的に大きな凝集塊１２ｄ、１２ｅおよび１２ｆは、ストッパ８内の注出口１６の絞り部
２４との接触によって破砕される。これは、凝集塊１２ａ〜１２ｆの予期されたサイズと
比較して、絞り部２４がストッパ８内の注出口１６のサイズを十分に低減するためであり
、これにより、注出口１６の絞り部２４に衝突および注出口１６の絞り部２４上で破砕す
ることなく注出口１６を通過するために十分小さな任意の凝集塊１２ｄ〜１２ｆは、注出
口１６を通って容器６の口部１４から流出する滑らかで一定の流体２２のサイズ、角度、
形状またはその他の幾何学形状を、実質的に変更しない。したがって、バッフル２６、絞
り部２４および注出口１６は全て、流体２２が容器６の口部１４を流れる際に流体２２の
幾何学形状を撹乱または変更するために十分な大きさの、実質的に全ての凝集塊１２ａ〜
１２ｆを破砕するために協働する一方、より小さい凝集塊１２ｄ〜１２ｆが、破砕される
ことなく注出口１６を通って容器６から流出することを可能にする。バッフル２６、絞り
部２４および注出口１６の動作の全体的な効果は、容器６の口部１４から出る際に、滑ら
かで一定のサイズ、角度、形状および流量を有する流体２２の創出を促進し、かつ支援す
ることである。
【００２１】
嵌着品２は、例えば圧入、熱封止または接着剤による容器６の口部１４上の嵌着品２の
封止によって、容器６に取り付けることができる。あるいは、容器６が細長い区域、つま
り、口部１４に通じるスロート３０を有する場合、嵌着品２の側壁９内にあり、嵌着品２
を下方に偏向する（図２Ｆに示す）１つ以上の等間隔のスカラップ１１、および、容器６
のスロート３０内にあり、嵌着品２を上方に偏向する１つ以上のシェルフ３６などの対抗
力によって、嵌着品２を容器６のスロート３０の内側に確実にとどまって残るように構成
することができる。図２Ｆおよび図３Ｄでは、それぞれ、スカラップ１１およびシェルフ
３６が示されている。
【００２２】
図４、図５および図６は、本発明の代替実施形態を一例として示している。図４Ａ〜図
４Ｄに示すように、嵌着品２は、上面および下面を有する円板状のストッパ８を備え、上
面３２は、容器６の口部１４にわたってカバーを形成し、下面３４は、嵌着品２が容器６
のスロート３０と一体化される場合に、容器６の内部に向かって配向される。ストッパ８
は、上面３２から下面３４を通って延びる少なくとも１つの注出口１６をさらに備える。
ある実施形態では、注出口１６を湾曲部分および直線部分を含むように不規則に成形する
ことができ、あるいは、例えば円形、半円形、球形、卵形、楕円形、菱形、三角形または
長方形（図示せず）として、より規則的に成形することができる。ある実施形態では、嵌
着品２の注出口１６は、ストッパ８内の中央に配置されており、これにより、注出口１６
の中心軸は、ストッパ８の縦軸と略一致する。しかし、さらなる実施形態では、嵌着品２
の注出口１６は、図４Ａ〜図４Ｄに示すように、ストッパ８の片側に向かって配置され、
これにより、注出口１６は、ストッパ８の縦軸から外れているストッパ８の区域を通って
延びる。ある実施形態では、注出口１６をストッパ８に予め形成することができる。さら
なる実施形態では、消費者またはユーザが、ストッパ８からアルミ箔などの材料を除去す
ることによって、注出口１６を作成することができる。ある実施形態では、このような除
去は、嵌着品２を形成する材料にミシン目を設けることで実現することができ、ミシン目
が押下によって強制的に開く場合に注出口１６を許容する。代替実施形態では、この除去
は、プルタブまたは同様の手段を含むことができ、これにより、手動で把持して嵌着品２
から引き離す際に、嵌着品２の取り外し可能な部分の除去を可能にする。
【００２３】
先に述べたように、容器６の内部チャンバ２０に向かって延びる１つ以上のバッフル２
６は、ストッパ８の下面３４に接続される。しかし、ある実施形態では、バッフル２６も
また、嵌着品の側壁９に接続されてもよく、これにより、本発明の範囲を逸脱することな
く、ストッパ９自身との直接接続を回避する。これらのバッフル２６は、嵌着品２が容器
６のスロート３０内に位置する場合、容器６内の凝集塊１２ａ、１２ｂおよび１２ｃを含
む粉末状製品４の流体に入り込んで注出口１６に向かって移動させるように構成される。
１つ以上のバッフル２６の数および方向は、例えば、容器６および容器６の口部１４のサ
イズおよび寸法と同様に、粉末状製品４の凝集塊１２ａ〜１２ｆの潜在的なサイズに応じ
て、任意の数の代替手段から選択されてもよい。本明細書で意図されるように、各バッフ
ル２６は、上部、下部および側部を備えてもよい。実際には、１つ以上のバッフル２６の
上部は、ストッパ８の下面に接続され、１つ以上のバッフル２６の各々の下部は、容器６
の内部に延びる。１つ以上のバッフル２６の側部は、平坦または丸みを帯びるか、あるい
は、平坦部分および丸み部分を備えてもよい。バッフル２６は、例えば、嵌着品２の注出
口１６の所望の形状に応じて、厚みおよび長さが変化してもよい。
【００２４】
図４Ａ〜図４Ｄ、図５Ａ〜図５Ｄおよび図６Ａ〜図６Ｈの例示的実施形態に示すように
、１つ以上のバッフル２６は、湾曲状下部および／または直線状下部を有するように不規
則に成形され得る。ある実施形態では、バッフル２６は、各バッフル２６の厚みが自身の
長さに沿って変化し、これにより、バッフルの一部がバッフルの他の一部よりも大きい厚
みを有するように形成されてもよい。図４Ａ〜図４Ｄに示す実施形態において、嵌着品２
は単一のバッフル２６を含み、単一のバッフル２６は、ストッパ８の下面の中央に位置し
、かつ、ストッパ８の注出口１６が占めないストッパ８の領域を実質的に二分割するよう
に配向される。図５Ａ〜図５Ｄは、嵌着品２の代替実施形態を示し、嵌着品２は、注出口
１６の近位端またはその付近の単一の位置に向かって集中する３つのバッフルを含む。
【００２５】
図６Ａ〜図６Ｈは、ストッパ８上のバッフル２６に対する様々な他の潜在的配向性を示
している。ある実施形態では、嵌着品２が１つ以上のバッフル２６を含んでいる場合、図
６Ｃ、図６Ｄ、図６Ｇおよび図６Ｈに示すように、バッフル２６は、ストッパ８に形成さ
れた注出口１６を向くように配向されてもよい。また、図６Ａおよび図６Ｂに示すように
、複数のバッフル２６を有する嵌着品２は、ストッパ８の注出口１６から離れた位置また
はその付近に集中するように配向されたバッフル２６を有してもよい。ある実施形態では
、図６Ｅおよび図６Ｆに示すように、バッフル２６は、異なる長さを有してもよく、注出
口１６の一端と平行になるように配向されてもよい。バッフル２６は、ストッパ８の注出
口１６から近位にあるバッフル２６の区域においてより大きい厚みを有してもよい。その
他の実施形態（図示せず）では、バッフル２６は、ストッパ８の注出口１６からより遠位
にあるバッフル２６の区域においてより大きい厚みを有してもよい。
【００２６】
図７は、本発明の代替実施形態を示している。図７に示すように、代替実施形態は容器
４６を提供し、容器４６は、例えばボトル、カートン、箱またはパウチを含んでもよく、
口部１４と、粉末状または顆粒状製品４を保持するための内部チャンバ２０と、口部１４
と内部チャンバ２０との間の通路１８とを含む。いくつかの実施形態では、容器４６は、
高密度ポリエチレン（ＨＤＰＥ）、低密度ポリエチレン（ＬＤＰＥ）、またはポリエチレ
ンテレフタレート（ＰＥＴ）などの、ガラスまたは石油系ポリエチレン熱可塑性物質で構
成されている。ストッパ８は、口部１４と内部チャンバ２０との間の定位置に固定され、
ストッパ８は、口部１４に面する上面３２と、内部チャンバ２０に面する下面３４とを有
する。容器４６はまた、ストッパ８内に注出口１６を含み、注出口１６は、容器４６が注
出口１６を有するストッパ８の側部に向かって傾斜する場合に、内部チャンバ２０内に保
持された粉末状または顆粒状製品４が、流体２２において通路１８を通って口部１４から
流出することを可能にする。１つ以上のバッフル２６は、ストッパ８の下面３４に固定的
に配置される。バッフル２６は、粉末状または顆粒状製品４の部分が通路１８に入る際に
これに向かって、容器４６の通路１８の内部チャンバ２０側内に突出する。とりわけ、注
出口１６に対する１つ以上のバッフル２６の形状、配向および位置は、粉末状製品４が通
路１８を介して注出口１６内に完全に進む前に、注出口１６に向かって移動する粉末状製
品４の少なくとも一部分が、少なくとも１つ以上のバッフル２６の遠位端の上、およびそ
の周囲を通過する原因となる。したがって、通路１８内のバッフル２６の上、およびその
周囲を通過する粉末状製品４の部分において、粉末状または顆粒状製品の任意の凝集塊が
存在する場合、注出口１６に到達可能なこれら凝集塊１２ａ〜１２ｆに先立って、これら
凝集塊は、１つ以上のバッフル２６によって破砕される可能性がある。さらに、絞り部２
４が備えられ、この絞り部２４は注出口１６を囲み、これにより、このような凝集塊が注
出口１６を通過してしまう前に、通路１８を通過するいくつかの凝集塊が絞り部２４に衝
突して絞り部２４によって破砕される。注出口１６を囲むまたはこれに当接するストッパ
８および絞り部２４から延びるバッフル２６の複合動作は、容器４６の口部１４を流通す
る流体２２の一定の流量および幾何学形状を撹乱し得る粉末状製品４内の大部分の凝集塊
を除去するために作動する。
【００２７】
本発明の例示的な実施形態、使用および利点を、ある程度特定して上記で開示したが、
その精神または本発明の範囲から逸脱することなく、本明細書に開示された変更および修
正ができ、以下の特許請求の範囲およびその等価物によってのみ限定されることを意図す
るものであることは、本発明の本明細書および本明細書に開示の慣例を考慮すれば当業者
にとって明らかであろう。
【図１Ａ】
2018065621.tif 000003
【図１Ｂ】
2018065621.tif 000004
【図１Ｃ】
2018065621.tif 000005
【図１Ｄ】
2018065621.tif 000006
【図２Ａ】
2018065621.tif 000007
【図２Ｂ】
2018065621.tif 000008
【図２Ｃ】
2018065621.tif 000009
【図２Ｄ】
2018065621.tif 000010
【図２Ｅ】
2018065621.tif 000011
【図２Ｆ】
2018065621.tif 000012
【図３Ａ】
2018065621.tif 000013
【図３Ｂ】
2018065621.tif 000014
【図３Ｃ】
2018065621.tif 000015
【図３Ｄ】
2018065621.tif 000016
【図４Ａ】
2018065621.tif 000017
【図４Ｂ】
2018065621.tif 000018
【図４Ｃ】
2018065621.tif 000019
【図４Ｄ】
2018065621.tif 000020
【図５Ａ】
2018065621.tif 000021
【図５Ｂ】
2018065621.tif 000022
【図５Ｃ】
2018065621.tif 000023
【図５Ｄ】
2018065621.tif 000024
【図６Ａ】
2018065621.tif 000025
【図６Ｂ】
2018065621.tif 000026
【図６Ｃ】
2018065621.tif 000027
【図６Ｄ】
2018065621.tif 000028
【図６Ｅ】
2018065621.tif 000029
【図６Ｆ】
2018065621.tif 000030
【図６Ｇ】
2018065621.tif 000031
【図６Ｈ】
2018065621.tif 000032
【図７】
2018065621.tif 000033
【手続補正書】
【提出日】平成29年12月21日(2017.12.21)
【手続補正１】
【補正対象書類名】特許請求の範囲
【補正対象項目名】全文
【補正方法】変更
【補正の内容】
【特許請求の範囲】
【請求項１】
凝集挙動の傾向がある粉末状製品の容器（６）用の嵌着品（２）であって、前記容器（６）は、口部（１４）と、内部チャンバ（２０）と、前記口部（１４）と前記内部チャンバ（２０）との間の通路（１８）とを備え、前記嵌着品（２）は、
（ａ）前記通路（３０）を閉鎖するストッパ（８）と、
（ｂ）前記容器（６）が注出動作中に傾斜する場合、前記内部チャンバ内（２０）の前記粉末状製品の一部分が、前記通路（３０）を通って前記容器（６）の前記口部（１４）の外へ続々と流出することを可能にする前記ストッパ（８）を通って延びる注出口（１６）とを備え、前記通路（１８）を流れる前記一部分は、前記粉末状製品の１つ以上の凝集塊を有し、
（ｃ）前記ストッパ（８）に接続された複数のバッフル（２６）を備え、前記複数のバッフル（２６）は、前記容器（６、４６）の前記内部チャンバ（２０）に向かって延び、かつ、前記一部分が前記通路（１８）を流れる際に前記粉末状製品の前記一部分に入り込むように設けられ、
（ｄ）ここで、前記複数のバッフル（２６）は、前記ストッパ（８）の前記注出口（１６）に対して反対側に位置し、
前記注出口（１６）は、前記ストッパ（８）の縦軸から外れて前記ストッパ（８）の部分を通って延びる非対称の開口部を備えることを特徴とする嵌着品。
【請求項２】
前記注出口を流通可能な前記粉末状製品の体積を制限するように構成された前記ストッパにおいて、絞り部をさらに備える、請求項１に記載の嵌着品。
【請求項３】
（ａ）前記絞り部は、前記注出口を流通可能な前記粉末状製品の体積と接触するように設けられる、請求項２に記載の嵌着品。
【請求項４】
前記注出口は、前記ストッパを通って延びる複数の開口部を備える、請求項１に記載の嵌着品。
【請求項５】
前記注出口を流通可能な前記粉末状製品の体積を制限するように構成された前記ストッパにおいて、絞り部をさらに備える、請求項４に記載の嵌着品。
【請求項６】
（ａ）前記絞り部は、前記注出口を流通可能な前記粉末状製品の体積と接触するように設けられる、請求項５に記載の嵌着品。
【請求項７】
凝集挙動の傾向がある粉末状製品用の容器（６）であって、
（ａ）粉末状製品を保持するための内部チャンバ（２０）と、
（ｂ）口部（１４）と、
（ｃ）前記内部チャンバ（２０）と前記口部（１４）との間の通路（１８）と、
（ｄ）前記通路（１８）を閉鎖するストッパ（８）と、
（ｅ）前記容器（６）が注出動作中に傾斜する場合、前記内部チャンバ（２０）内の前記粉末状製品の一部分が、前記通路（３０）を通って前記容器（６）の前記口部（１４）の外へ続々と流出することを可能にする前記ストッパ（８）を通って延びる注出口（１６）とを備え、前記通路（１８）を流れる前記一部分は、前記粉末状製品の１つ以上の凝集塊を有し、
（ｆ）前記通路（１８）内へ延び、かつ、前記一部分が前記通路（８）を流れる際に前記粉末状製品の前記一部分に入り込むように設けられる複数のバッフル（２６）を備え、
（ｇ）ここで、前記複数のバッフル（２６）は、前記ストッパ（８）の前記注出口（１６）に対して反対側に位置し、
前記注出口（１６）は、前記ストッパ（８）の縦軸から外れて前記ストッパ（８）の部分を通って延びる非対称の開口部を備えることを特徴とする容器。
【請求項８】
前記注出口を流通可能な前記粉末状製品の体積を制限するために絞り部をさらに備える、請求項７に記載の容器。
【請求項９】
（ａ）前記絞り部は、前記注出口を流通可能な前記粉末状製品の体積と接触するように設けられる、請求項８に記載の容器。
【請求項１０】
前記注出口は、前記ストッパを通って延びる複数の開口部を備える、請求項９に記載の容器。
【請求項１１】
前記注出口を流通可能な前記粉末状製品の体積を制限するために絞り部をさらに備える、請求項１０に記載の容器。
【外国語明細書】
2018065621000001.pdf